(57)【要約】【課題】上被締結板と下被締結板との締結を常に確実なものとすることができる締結具を提供する。【解決手段】  小ネジ１２のネジ部１２ａを螺合させるネジ穴１３とこれに並設された矩形のスリット１４とが形成された下被締結板３ａと、ネジ部１２ａを挿通させるネジ挿通穴１５とこれに並設された矩形のスリット１６とが形成された上被締結板２ａとを締結する締結具１８に、ネジ部１２ａを挿通させるネジ挿通穴１９が形成された、下面２０ａが上被締結板２ａの上面に合わさる固定部２０と、２つのスリット１４、１６に挿通させる挿通部２１と、挿通部２１の側端面２１ａから突出し、締結時に下被締結板３ａの下面を押圧する押圧面２３が形成された締結突起２２とを設け、ネジ穴１３に螺合させた小ネジ１２を締め付けたときに、固定部２０の下面２０ａと締結突起２２の押圧面２３との間で、上被締結板２ａと下被締結板３ａとを挟持させる。【選択図】        図５
2010209954.tif 000002
【特許請求の範囲】
【請求項１】
ネジ部材のネジ部を螺合させるネジ穴と前記ネジ穴に並設された矩形の締結具挿通穴とが形成された下被締結板と、前記ネジ部を挿通させるネジ挿通穴と前記ネジ挿通穴に並設された矩形の締結具挿通穴とが形成された上被締結板と、を締結する締結具であって、
前記ネジ部を挿通させるネジ挿通穴が形成された、下面が前記上被締結板の上面に合わさる固定部と、
前記２つの締結具挿通穴に挿通させる挿通部と、
前記挿通部の側端面から突出し、締結時に前記下被締結板の下面を押圧する押圧面が形成された締結突起とを備え、
前記ネジ穴に螺合させたネジ部材を締め付けたときに、前記固定部の下面と前記締結突起の押圧面との間で、前記上被締結板と前記下被締結板とを挟持することを特徴とする締結具。
【請求項２】
請求項１において、
前記固定部の下面に、鋭利な角を前記固定部の下面から前記上被締結板の母材に達するまで突出させた爪部を設けると共に、
前記締結突起の押圧面に、鋭利な角を前記押圧面から前記下被締結板の母材に達するまで突出させた爪部を設けたことを特徴とする締結具。
【請求項３】
請求項１または請求項２において、
前記固定部の下面と前記締結突起の押圧面とが、離間した状態で平行に形成されていることを特徴とする締結具。
【請求項４】
請求項１ないし請求項３のいずれか一項において、
前記２つの締結具挿通穴に挿通させた前記挿通部の周囲の隙間を、前記上被締結板に挿通させたネジ部の周囲の隙間より、小さく形成したことを特徴とする締結具。
【請求項５】
請求項１ないし請求項４のいずれか一項に記載の締結具を用いて、
前記上被締結板である上部筐体の底板と、前記下被締結板である下部筐体の天板とを締結したことを特徴とする自動機。
【発明の詳細な説明】
【技術分野】
【０００１】
本発明は、分離構造を有する自動機の上部筐体と下部筐体とを締結する締結具およびそれを用いて締結した自動機に関する。
【背景技術】
【０００２】
一般に、上部筐体と下部筐体とを結合して形成する分離構造の自動機においては、上部筐体と下部筐体との結合時に、静電気による電子部品の誤動作等を回避するために、これらの間を電気的に接続させることが行われている。
【０００３】
従来の締結具は、十字溝を形成した頭部と、頭部との対向面に傾斜面を形成した一対の接合爪と、頭部と接合爪を連結するための胴部とで構成され、締結対象の２枚の被締結板のそれぞれに、接合爪を挿通させる長穴を設けると共に、下部の被締結板の下面に小突起とストッパとを設け、締結具の一対の接合爪を長穴に挿通させた後に、ドライバで締結具を１／４回転させるときに、接合爪の傾斜面を利用して小突起を乗越えさせて接合爪をストッパに係止させ、２枚の被締結板を締結具の頭部と接合爪との間に挟持して締結している（例えば、特許文献１参照。）。
【先行技術文献】
【特許文献】
【０００４】
【特許文献１】実開平５−４０６０８号公報（段落０００９−００１２、第１図）
【発明の概要】
【発明が解決しようとする課題】
【０００５】
しかしながら、上述した従来の技術においては、２枚の被締結板に形成された長穴に胴部を挿通させた締結具の頭部と接合爪との間に、２枚の被締結板を挟持させて締結しているため、締結後に振動等の外力により長穴の長手方向に荷重が負荷された場合には、２枚の被締結板にずれが生ずるという問題がある。
【０００６】
また、締結後に外力により長穴の短手方向に荷重が負荷された場合には、せん断力で胴部が破断し、２枚の被締結板の締結が解除される場合があるという問題がある。
【０００７】
更に、締結後に外力により胴部の軸方向に荷重が負荷された場合には、引張力で胴部が破断し、２枚の被締結板の締結が解除される場合があるという問題がある。
【０００８】
更に、上部筐体や下部筐体の製造に用いる鋼板に、メッキや、防錆のための酸化膜等の表面処理が施されている場合には、表面処理の仕様が変更されると、同じ規格の鋼板を用いても、上部筐体と下部筐体との合せ面における抵抗値が高くなる場合があり、上部筐体で生じた静電気が逃げにくくなり、電子部品等の誤動作によって自動機の信頼性を低下させる場合があるという問題がある。
【０００９】
この場合に、鋼板を母材のまま使用したとしても、経年変化により合せ面に錆が発生した場合には、前記と同様の問題が生ずる。
【課題を解決するための手段】
【００１０】
本発明は、上記課題を解決するために、ネジ部材のネジ部を螺合させるネジ穴と前記ネジ穴に並設された矩形の締結具挿通穴とが形成された下被締結板と、前記ネジ部を挿通させるネジ挿通穴と前記ネジ挿通穴に並設された矩形の締結具挿通穴とが形成された上被締結板と、を締結する締結具であって、前記ネジ部を挿通させるネジ挿通穴が形成された、下面が前記上被締結板の上面に合わさる固定部と、前記２つの締結具挿通穴に挿通させる挿通部と、前記挿通部の側端面から突出し、締結時に前記下被締結板の下面を押圧する押圧面が形成された締結突起とを備え、前記ネジ穴に螺合させたネジ部材を締め付けたときに、前記固定部の下面と前記締結突起の押圧面との間で、前記上被締結板と前記下被締結板とを挟持することを特徴とする。
【００１１】
また、前記の締結具において、前記固定部の下面に、鋭利な角を前記固定部の下面から前記上被締結板の母材に達するまで突出させた爪部を設けると共に、前記締結突起の押圧面に、鋭利な角を前記押圧面から前記下被締結板の母材に達するまで突出させた爪部を設けたことを特徴とする。
【発明の効果】
【００１２】
これにより、本発明は、締結後に、上被締結板や下被締結板に外力が負荷されたとしても、その外力を締結具の挿通部で受けることができ、ネジ部材のネジ部の変形や破断を防止して、上被締結板と下被締結板との締結を常に確実なものとすることができるという効果が得られる。
【００１３】
また、締結時に、爪部の角の先端を上被締結板と下被締結板とのそれぞれの母材に食い込ませて、上被締結板と下被締結板との間の電気的な導通を確保することができ、静電気による誤動作等を防止して、分割構造の自動機における信頼性を向上させることができるという効果が得られる。
【図面の簡単な説明】
【００１４】
【図１】実施例１のチェックイン端末の外観を示す説明図
【図２】実施例１のチェックイン端末の分離状態を示す説明図
【図３】実施例１のチェックイン端末の下部筐体の上面を示す説明図
【図４】実施例１の締結具による締結状態の断面を示す説明図
【図５】実施例１の締結具の外観を示す説明図
【図６】実施例１の締結具による締結状態の側面を示す説明図
【図７】実施例２の締結具の外観を示す説明図
【図８】実施例２の締結具による締結状態の側面を示す説明図
【発明を実施するための形態】
【００１５】
以下に、図面を参照して本発明による自動機およびその締結具の実施例について説明する。
【実施例１】
【００１６】
図１において、１は自動機としてのチェックイン端末であり、上部筐体２および下部筐体３からなる分離構造の端末装置である。
【００１７】
５はチェックイン端末１の上部筐体２の正面板に設けられた操作表示部であり、ＬＣＤ等の表示画面とタッチパネル等の入力手段との組合わせで構成されており、表示画面に顧客に対するインフォーメーション画面や各種の入力画面、顧客の操作を誘導する誘導画面等を表示する機能、入力手段により顧客からの入力を受付ける機能等を備えている。
【００１８】
６は上部筐体２に設けられた情報入力部であり、上面に、カードに搭載されたＩＣチップに記録されているカード情報を非接触で読取る非接触読取機能を有するカード読取部６ａと、下面に設けられた搭乗券等に付されたバーコードを読取るバーコードリーダ６ｂ等を備えている。
【００１９】
７は上部筐体２に設けられたパスポートリーダであり、スキャナおよびＩＣチップの非接触読取機能を有しており、パスポートに記録された各種の情報を読取る機能を備えている。
【００２０】
８は上部筐体２に設けられた明細票発行部であり、プリンタ等を備えており、顧客の搭乗履歴等の各種の情報を印刷した明細票発行する機能を有している。
【００２１】
９はフリッカランプであり、顧客の操作を誘導する際に点滅させて、操作する部位を表示する機能を有している。
【００２２】
１０はチェックイン端末１の下部筐体３の正面板に設けられた荷物タグ発行部であり、タグプリンタ等を備えており、航空機への搭乗時に預ける荷物に添付する荷物タグを印刷して発行する機能を有している。
【００２３】
このようなチェックイン端末１は、下部筐体３上に上部筐体２を結合して空港のチェックインカウンタ等に設置される。
【００２４】
なお、本実施例のチェックイン端末１は、上部筐体２のみをカウンタ上等に載置して独立に用いることが可能なように構成されている。
【００２５】
１１は下部筐体３に設けられた挿入部であり、図２に示すように、下部筐体３の天板３ａ（下被締結板）の側方の両側に設けられた凹部であって、上部筐体２と下部筐体３との分離時に、手を挿し入れて上部筐体２の底板２ａ（上被締結板）を持上げる際等に使用する。
【００２６】
上記の下部筐体３の天板３ａには、図３に示すように、ネジ部材としての小ネジ１２のネジ部１２ａを螺合させるネジ穴１３（図４参照）と、ネジ穴１３に並設された締結具挿通穴としてのスリット１４とを１組として複数組設けられている。
【００２７】
また、上部筐体２の底板２ａには、ネジ穴１３に対応する位置に、ネジ部１２ａを挿通させるネジ挿通穴１５（図４参照）が形成され、スリット１４に対応する位置にスリット１４と同形状の締結具挿通穴としてのスリット１６（図４参照）が形成されている。
【００２８】
なお、図４は、図６に示すＡ−Ａ断面線に沿った断面を示したものである。
【００２９】
本実施例のネジ穴１３は、図４に示すように、プレス加工で天板３ａを下面側に突出させ、これを打抜いて形成された穴の内周面をネジ切りして、天板３ａと一体に形成したものである。
【００３０】
本実施例の下部筐体３の天板３ａには、図３に示すように、その４隅にネジ穴１３が設けられ、それに並設されたスリット１４は、ネジ穴１３のそれぞれの中央側に配置されている。
【００３１】
図４において、１８は締結具であり、合金鋼等の金属板を曲折して形成され、小ネジ１２のネジ部１２ａを挿通させるネジ挿通穴１９が設けられた固定部２０と、その片側に固定部２０から直角に曲折形成された、スリット１４、１６に挿通させる挿通部２１とを有するＬ字状部材であって、挿通部２１には、図５に示すように、その側端面２１ａから突出させた締結突起２２が形成されており、その締結突起２２の上面である押圧面２３の先端には面取２３ａが形成されている。
【００３２】
また、固定部２０の下面２０ａと締結突起２２の押圧面２３とは離間した状態で平行に形成され、その距離Ｌは、天板３ａと底板２ａとの圧縮弾性変形時の最大変形量の範囲内で、天板３ａの厚さと底板２ａの厚さとを合わせた厚さよりも短く形成される。
【００３３】
これにより、締結時に天板３ａの下面を、締結突起２２の押圧面２３が押圧し、固定部２０の下面２０ａと締結突起２２の押圧面２３との間に、天板３ａおよび底板２ａを挟持することが可能になる。
【００３４】
本実施例のスリット１４、１６は、それぞれ天板３ａ、底板２ａに形成された矩形の穴であって、締結具１８の挿通部２１を挿通させて嵌合させたときに、挿通部２１の周囲に形成される隙間Ｓ１（矩形の長辺および短辺との間にそれぞれ形成される隙間をいう。）が、底板２ａおよび締結具１８の固定部２０のネジ挿通穴１５、１９に小ネジ１２のネジ部１２ａを挿通させたときに、ネジ部１２ａの周囲に形成される隙間Ｓ２よりも小さくなるように形成されている。
【００３５】
上記の締結具１８を用いて、上被締結板としての底板２ａと、下被締結板としての天板３ａとを締結する場合は、底板２ａの下面と天板３ａの上面とをスリット１６、１４の位置を合わせて重ね合わせ、その長辺に沿って、締結具１８の挿通部２１を締結突起２２側からスリット１６、１４へ挿入し、締結突起２２を面取２３ａに案内させて天板３ａの下面側に突出させた後に、締結具１８の固定部２０の下面２０ａを底板２ａの上面に合わせ、その後にスプリングワッシャ２５、平ワッシャ２６にネジ部１２ａを挿通させた小ネジ１２のネジ部１２ａを先端側から、固定部２０のネジ挿通穴１９、底板２ａのネジ挿通穴２５に挿入してネジ穴１３に螺合させ、小ネジ１２をその頭部１２ｂに設けられた十字溝に嵌合させたドライバで回転させて締め付け、図６に示すように、締結具１８の固定部２０の下面２０ａと、締結突起２２の押圧面２３との間に、底板２ａおよび天板３ａを挟持してこれらを締結する。
【００３６】
このようにして締結された底板２ａまたは天板３ａに面方向の外力が負荷され、底板２ａと天板３ａとの間にズレが発生した場合は、本実施例のスリット１６、１４に挿通させた締結具１８の挿通部２１の周囲の隙間Ｓ１は、底板２ａおよび固定部２０のネジ挿通穴１５、１９に小ネジ１２のネジ部１２ａの周囲の隙間Ｓ２よりも小さく形成されているので、その外力によるせん断力を締結具１８の挿通部２１で受けることができ、底板２ａに設けられたネジ挿通穴１５がネジ部１２ａに当接することはなく、小ネジ１２のネジ部１２ａの変形や、せん断力による破断を防止して、底板２ａおよび天板３ａの締結を常に確実なものとすることができると共に、隙間Ｓ１を小さくすることで、底板２ａと天板３ａとの合せ面内での位置決めを容易に行うことができる。
【００３７】
また、締結後に、小ネジ１２の軸方向に、底板２ａと天板３ａとを離間させる外力が負荷された場合は、本実施例の締結具１８の固定部２０の下面２０ａと締結突起２２の押圧面２３との距離Ｌは、底板２ａと天板３ａとを合わせた厚さより短く形成されているので、外力による引張力を、締結具１８の挿通部２１で受けることができ、小ネジ１２のネジ部１２ａの変形や、引張力による破断を防止して、底板２ａおよび天板３ａの締結を常に確実なものとすることができる。
【００３８】
更に、本実施例の締結具１８を用いてチェックイン端末１の上部筐体２の底板２ａと下部筐体３の天板３ａとを締結すれば、上部筐体２または下部筐体３に外力が負荷されたとしても、上記のように小ネジ１２が破断することはなく、上部筐体２と下部筐体３との結合状態を常に確実なものとすることができる。
【００３９】
以上説明したように、本実施例では、締結具に、小ネジのネジ部を挿通させるネジ挿通穴が形成された固定部と、上被締結板（底板２ａ）と下被締結板（天板３ａ）とに形成された２つのスリットに挿通させる挿通部と、挿通部の側端面に突出形成され、締結時に下被締結板の下面を押圧する押圧面が形成された締結突起とを設け、ネジ穴に螺合させた小ネジを締め付けて、固定部の下面と締結突起の押圧面との間で、上被締結板と下被締結板とを挟持するようにしたことによって、締結後に、上被締結板や下被締結板に外力が負荷されたとしても、その外力を締結具の挿通部で受けることができ、小ネジのネジ部の変形や破断を防止して、上被締結板と下被締結板との締結を常に確実なものとすることができる。
【実施例２】
【００４０】
本実施例の説明においては、上記実施例１と同様の部分は、同一の符号を付してその説明を省略する。
【００４１】
本実施例の締結具１８の固定部２０には、図７に示すように、その挿通部２１の反対側の２隅を、下面２０ａ側に斜めに曲折させて、鋭利な角を下面２０ａから突出させた爪部３１が設けられている。
【００４２】
この爪部３１の角部の先端の下面２０ａからの突出量は、底板２ａの母材に達するように、底板２ａに施された表面処理層の厚さより高くなるように設定されている。
【００４３】
また、締結突起２２の押圧面２３の挿通部２１と反対側の端部には、鋭利な角を押圧面２３から突出させた爪部３２が設けられている。
【００４４】
この爪部３２の角部の先端の押圧面２３からの突出量は、天板３ａの母材に達するように、天板３ａに施された表面処理層の厚さより高くなるように設定される。
【００４５】
他の構成は、上記実施例１と同様である。
【００４６】
このような、爪部３１、３２が形成された締結具１８を用いた、底板２ａと天板３ａとの締結は、上記実施例１と同様に行われ、締結具１８の固定部２０の下面２０ａと、締結突起２２の押圧面２３との間に、底板２ａおよび天板３ａを挟持してこれらを締結したときに、図８に示すように、爪部３１および爪部３２の鋭利な角の先端が、メッキ層や表面処理層を削ってそれぞれ底板２ａの母材や天板３ａの母材に食い込み、底板２ａと天板３ａとの間が締結具１８を介して電気的に接続される。
【００４７】
以上説明したように、本実施例例では、上記実施例１と同様の効果に加えて、上被締結板（底板２ａ）側に配置された固定部の下面と、下被締結板（天板３ａ）側に配置された締結突起の押圧面とに、上被締結板と下被締結板との母材に達する鋭利な角を有する爪部を形成したことによって、締結時に、爪部の角の先端を上被締結板と下被締結板とのそれぞれの母材に食い込ませて、上被締結板と下被締結板との間の電気的な導通を確保することができ、静電気による誤動作等を防止して、分割構造のチェックイン端末における信頼性を向上させることができる。
【００４８】
なお、上記各実施例においては、締結具の挿通部および締結突起は、固定部の片側に設けるとして説明したが、固定部の挿通部の反対側にも形成して締結具を門型に形成するようにしてもよい。このようにすれば、重量のある上部筐体と下部筐体との締結に適用することが可能になる。
【００４９】
この場合に、固定部に爪部を設けるときは、押圧面に形成する爪部と同様の爪部を固定部の下面に設けるようにするとよい。
【００５０】
また、上記各実施例においては、下被締結板に設けるネジ穴はプレス加工等により下被締結板と一体に形成するとして説明したが、溶接ナットを下被締結板に接合してネジ穴を形成するようにしてもよい。
【００５１】
更に、上記各実施例においては、ネジ部材は小ネジであるとして説明したが、ボルトをネジ部材として用いるようにしてもよい。
【００５２】
更に、上記各実施例においては、自動機はチェックイン端末であるとして説明したが、金融機関に設置される分離構造の現金自動預払機等の自動取引装置に適用しても、上記と同様の効果を得ることができる。要は分離構造の自動機であればどのような自動機であってもよい。
【符号の説明】
【００５３】
１    チェックイン端末
２    上部筐体
２ａ  底板
３    下部筐体
３ａ  天板
５    操作表示部
６    情報入力部
７    パスポートリーダ
８    明細票発行部
９    フリッカランプ
１０  荷物タグ発行部
１１  挿入部
１２  小ネジ
１２ａ  ネジ部
１２ｂ  頭部
１３  ネジ穴
１４、１６  スリット
１５、１９  ネジ挿通穴
１８  締結具
２０  固定部
２０ａ  下面
２１  挿通部
２１ａ  側端面
２２  締結突起
２３  押圧面
２３ａ  面取
２５  スプリングワッシャ
２６  平ワッシャ
３１、３２  爪部
【図１】
2010209954.tif 000003
【図２】
2010209954.tif 000004
【図３】
2010209954.tif 000005
【図４】
2010209954.tif 000006
【図５】
2010209954.tif 000007
【図６】
2010209954.tif 000008
【図７】
2010209954.tif 000009
【図８】
2010209954.tif 000010